【手続補正書】
【提出日】平成20年3月13日(2008.3.13)
【手続補正１】
【補正対象書類名】特許請求の範囲
【補正対象項目名】全文
【補正方法】変更
【補正の内容】
【特許請求の範囲】
【請求項１】
コンピュータに対し、
このコンピュータが管理するドキュメントファイルのカラー属性を取得するファイル属性取得手順と、
このドキュメントファイルを示すドキュメントアイコンであって取得したカラー属性が反映された画像をもつドキュメントアイコンを表示画面上に表示する表示手順と、
を実行させる、ことを特徴とするアイコン制御プログラム。
【請求項２】
請求項１に記載のアイコン制御プログラムにおいて、
ファイル属性取得手順において取得するカラー属性には、そのドキュメントファイルにより表されるドキュメントがカラー表現されているかについての情報が含まれ、
表示手順においては、ドキュメントがカラー表現されている場合にはカラー画像をもつドキュメントアイコンを表示し、ドキュメントがカラー表現されていない場合にはモノクロ画像をもつドキュメントアイコンを表示する、ことを特徴とするアイコン制御プログラム。
【請求項３】
請求項１に記載のアイコン制御プログラムにおいて、
ファイル属性取得手順において取得するカラー属性には、そのドキュメントファイルにより表されるドキュメントに含まれるカラー領域の割合を示す情報が含まれ、
表示手順においては、カラー領域の割合を表現した画像をもつドキュメントアイコンを表示する、ことを特徴とするアイコン制御プログラム。
【請求項４】
請求項１乃至３のいずれか１項に記載のアイコン制御プログラムにおいて、
前記コンピュータに、
このコンピュータからの出力設定がなされたプリンタを利用して前記ドキュメントファイルを印刷した場合の印刷カラー属性を取得する印刷属性取得手順と、
ファイル属性取得手順で取得したカラー属性が印刷属性取得手順で取得した印刷カラー属性と異なるときは、このドキュメントファイルを示すドキュメントアイコンがこのプリンタのこの印刷設定を示すプリンタアイコンと対応づけられた場合に、ドキュメントアイコンの画像を印刷カラー属性を反映した画像に変更する画像変更手順と、
を実行させる、ことを特徴とするアイコン制御プログラム。
【請求項５】
請求項１乃至３のいずれか１項に記載のアイコン制御プログラムにおいて、
前記コンピュータに、
このコンピュータからの出力設定がなされた少なくとも一つのプリンタの少なくとも一つの印刷設定を利用して前記ドキュメントファイルを印刷した場合の印刷カラー属性を取得する印刷属性取得手順と、
印刷属性取得手順で取得した印刷カラー属性とファイル属性取得手順で取得したカラー属性とを比較して、このドキュメントファイルの印刷に適したプリンタ又は印刷設定を判定する判定手順と、
このドキュメントファイルのドキュメントアイコンがユーザ選択されている時に、印刷に適していると判定されたプリンタ又は印刷設定を示すプリンタアイコンを注目表示する注目表示手順と、
を実行させる、ことを特徴とするアイコン制御プログラム。
【請求項６】
請求項５に記載のアイコン制御プログラムにおいて、
印刷属性取得手順においては、表示画面に表示されているプリンタアイコンにかかる印刷カラー属性が取得され、
注目表示手順においては、適していると判定された印刷にかかるプリンタアイコンが、他のプリンタアイコンに比べて注目されるように表示される、ことを特徴とするアイコン制御プログラム。
【請求項７】
請求項５に記載のアイコン制御プログラムにおいて、
注目表示手順においては、ドキュメントアイコンが対応づけられたプリンタアイコンにかかる印刷が、判定手順において適していないと判定された場合に、適していると判定された印刷にかかるプリンタアイコンが、新たに表示画面上に表示される、ことを特徴とするアイコン制御プログラム。
【請求項８】
請求項５に記載のアイコン制御プログラムにおいて、
注目表示手順においては、ドキュメントアイコンが対応づけられたプリンタアイコンにかかる印刷が、判定手順において適していると判定された場合に、さらに限定的な印刷設定を追加した印刷にかかるプリンタアイコンが、新たに表示画面上に表示される、ことを特徴とするアイコン制御プログラム。
【請求項９】
請求項８に記載のアイコン制御プログラムにおいて、
注目表示手順においては、プリンタまたは印刷設定についての階層構造に基づいて、下位階層に位置するプリンタアイコンが表示される、ことを特徴とするアイコン制御プログラム。
【請求項１０】
ドキュメントファイルのカラー属性を取得するファイル属性取得手段と、
このドキュメントファイルを示すドキュメントアイコンであって取得したカラー属性が反映された画像をもつドキュメントアイコンを表示画面上に表示する表示手段と、
を備える、ことを特徴とするコンピュータ。
【請求項１１】
コンピュータが実行する方法であって、
このコンピュータが管理するドキュメントファイルのカラー属性を取得するファイル属性取得手順と、
このドキュメントファイルを示すドキュメントアイコンであって取得したカラー属性が反映された画像をもつドキュメントアイコンを表示画面上に表示する表示手順と、
を含む、ことを特徴とする方法。
【手続補正２】
【補正対象書類名】明細書
【補正対象項目名】００１８
【補正方法】変更
【補正の内容】
【００１８】
本発明のアイコン制御プログラムの一態様においては、前記コンピュータに、このコンピュータからの出力設定がなされたプリンタを利用して前記ドキュメントファイルを印刷した場合の印刷カラー属性を取得する印刷属性取得手順と、ファイル属性取得手順で取得したカラー属性が印刷属性取得手順で取得した印刷カラー属性と異なるときは、このドキュメントファイルを示すドキュメントアイコンがこのプリンタのこの印刷設定を示すプリンタアイコンと対応づけられた場合にドキュメントアイコンの画像を印刷カラー属性を反映した画像に変更する画像変更手順と、を実行させる。
【手続補正３】
【補正対象書類名】明細書
【補正対象項目名】００１９
【補正方法】変更
【補正の内容】
【００１９】
印刷カラー属性とは、印刷実行時に採用される色設定についての情報である。具体的には、モノクロ印刷されるのか、カラー印刷（ＣＭＹＫモードなどを用いた多色印刷）されるのか、といった情報や、印刷により表現可能な色数などの情報を例示することができる。ドキュメントアイコンとプリンタアイコンとの対応づけは、例えば、ドキュメントアイコンがプリンタアイコンにドラッグアンドドロップされたり、ドキュメントアイコンが選択された状態でプリンタ指令入力が行われたりすることで行われる。そして、この対応づけが行われると、あらかじめ又はそのタイミングで実行された印刷属性取得手順の結果と、あらかじめ又はそのタイミングで実行されたファイル属性取得手順の結果に基づいて、印刷カラー属性がカラー属性と異なるか否かが調べられ、異なる場合には、ドキュメントアイコンの画像が印刷カラー属性を反映した画像に変更される。変更の例としては、当初のアイコン画像をカラー化あるいはモノクロ化したり、当初のアイコン画像の近傍に印刷カラー属性を反映した新たな画像を付加的に表示したりする態様が挙げられる。
【手続補正４】
【補正対象書類名】明細書
【補正対象項目名】００２０
【補正方法】変更
【補正の内容】
【００２０】
本発明のアイコン制御プログラムの一態様においては、前記コンピュータに、このコンピュータからの出力設定がなされた少なくとも一つのプリンタの少なくとも一つの印刷設定を利用して前記ドキュメントファイルを印刷した場合の印刷カラー属性を取得する印刷属性取得手順と、印刷属性取得手順で取得した印刷カラー属性とファイル属性取得手順で取得したカラー属性とを比較して、このドキュメントファイルの印刷に適したプリンタ又は印刷設定を判定する判定手順と、このドキュメントファイルのドキュメントアイコンがユーザ選択されている時に、印刷に適していると判定されたプリンタ又は印刷設定を示すプリンタアイコンを注目表示する注目表示手順と、を実行させる。
【手続補正５】
【補正対象書類名】明細書
【補正対象項目名】００２２
【補正方法】変更
【補正の内容】
【００２２】
なお、この態様を発展させ、任意のファイル属性及び印刷属性を対象とする（つまり、カラー属性は含まれていても含まれていなくてもよい）アイコン制御を行うことも可能である。すなわち、コンピュータに対し、このコンピュータが管理するドキュメントファイルの属性を取得するファイル属性取得手順と、このドキュメントファイルを示すドキュメントアイコンであって取得した属性が反映された画像をもつドキュメントアイコンを表示画面上に表示する表示手順と、このコンピュータからの出力設定がなされた少なくとも一つのプリンタの少なくとも一つの印刷設定を利用して前記ドキュメントファイルを印刷した場合の印刷属性を取得する印刷属性取得手順と、印刷属性取得手順で取得した印刷属性とファイル属性取得手順で取得したファイル属性とを比較して、このドキュメントファイルの印刷に適したプリンタ又は印刷設定を判定する判定手順と、このドキュメントファイルのドキュメントアイコンがユーザ選択されている時に、印刷に適していると判定されたプリンタ又は印刷設定を示すプリンタアイコンを注目表示する注目表示手順と、を実行させる、ことを特徴とするアイコン制御プログラム、または、対応する装置や方法についての発明へと発展させてもよい。